(57)【要約】【課題】  従来技術では、特殊な二輪車用バッグに電子機器を収納し、これを燃料タンク上に取り付けるものがあるが、本発明は特殊な二輪車用バッグを必要とせず、燃料タンクの形状に沿った取り付けと、燃料タンクに傷を付けず、電子機器の画像表示部を運転者が見易い状態や、電子機器の操作部を操作し易い状態に保持できる技術を提供する。【解決手段】  弾力性板を内蔵した可撓性のある基板部と、前記基板部の左右両側に延び内部に自動二輪車の燃料タンクに吸着する磁石を具備する可撓性のある取り付け用フラップと、前記基板部の上面に取り付けられた電子機器用取り付け基台を備え、この取り付け基台は、前記基板部に取り付けられた固定基台部と、この固定基台部に前後回動可能に軸支持されて前記電子機器を取り付けるための可動基台部とからなる自動二輪車用電子機器保持装置。【選択図】図１
2008037162.tif 000002
【特許請求の範囲】
【請求項１】
弾力性板を内蔵した可撓性のある基板部と、前記基板部の左右両側に延び内部に自動二輪車の燃料タンクに吸着する磁石を具備する可撓性のある取り付け用フラップと、前記基板部の上面に取り付けられた電子機器用取り付け基台を備え、この取り付け基台は、前記基板部に取り付けられた固定基台部と、この固定基台部に前後回動可能に軸支持されて前記電子機器を取り付けるための可動基台部とからなる自動二輪車用電子機器保持装置。
【請求項２】
電子機器を取り付け基台にて取り付ける基板部と、前記基板部の左右両側に延び内部に自動二輪車の燃料タンクに吸着する磁石を具備する取り付け用フラップを備え、前記基板部を上面基材と裏基材で構成し、前記上面基材と裏基材と取り付け用フラップは可撓性のある柔軟性資材で構成され、前記上面基材中に弾力性板が内蔵され、前記裏基材は前記上面基材の裏側に重ね合わされるように前記上面基材の前部又は後部に可撓自在に結合され、前記取り付け基台は、前記上面基材に前記弾力性板を貫通するネジで取り付けられる固定基台部と、この固定基台部に前後回動可能に軸支持されて前記電子機器を取り付けるための可動基台部を備え、前記裏基材は接合剥離自在な面ファスナにて前記上面基材の裏側に重ね合わされた状態を保持することを特徴とする自動二輪車用電子機器保持装置。
【請求項３】
前記取り付け用フラップは前記基板部に前後回動可能に支持され、前記可動基台部には前記電子機器を着脱自在に保持する保持部材がネジ止めされる構成であることを特徴とする請求項１又は２に記載の自動二輪車用電子機器保持装置。
【請求項４】
前記基板部が一枚のシート状であればその下側面が、また前記基板部が前記上面基材と裏基材で構成されたものであれば前記裏基材の下側面が、滑り難い柔軟性資材で構成されたことを特徴とする請求項１乃至３のいずれかに記載の自動二輪車用電子機器保持装置。
【発明の詳細な説明】
【技術分野】
【０００１】
本発明は、ナビゲーションシステム、自動料金収受システム（ＥＴＣ）等の電子機器を自動二輪車の燃料タンクへ取り付ける自動二輪車用電子機器保持装置に関する。
【背景技術】
【０００２】
物品を収納するメインバッグとこのメインバッグの前面に回動可能に取り付けたサブバッグとからなり、ナビゲーション等の画像表示部を具備する電装品がサブバッグに収納された二輪車用バッグがある。このサブバッグの後面は、収納した電装品の画像表示部を透視できるように透明に構成され、二輪車用バッグを二輪車の燃料タンク上に取り付けた状態で、運転者がこの画像表示部を見ることができるようになっている。そして、この二輪車用バッグを二輪車の燃料タンク上に取り付けるために、メインバッグの下面の両サイドに、磁石が取り付けられた幅広のフラップがそれぞれ設けられ、この磁石の磁力で燃料タンクに吸着されて、着脱自在である。
（例えば、特許文献１参照）。
【特許文献１】特許第３６０８７５２号
【発明の開示】
【発明が解決しようとする課題】
【０００３】
この特許文献１は、二輪車用バッグに係るものであり、物品を収納するメインバッグに電装品が収納されたサブバッグを設けるため、収納した電装品の画像表示部を透視できるように、サブバッグの後面が透明に構成される。このため、特殊な二輪車用バッグを作る必要があり、バッグも高価なものとなる。
【０００４】
また、メインバッグの前面に回動可能にサブバッグを取り付けているが、メインバッグが空の場合や収納物品が少ない場合には、メインバッグの前面が倒れ込んで、画像表示部の設置状態が一定せず、常に画像表示部を運転者が見易い状態に保つことは難く、運転中に運転者が画像表示部の向きを調整する必要によって、運転の安全性からすれば好ましくないことが考えられる。また、この二輪車用バッグを二輪車の燃料タンク上に取り付ける場合は、メインバッグの下面両サイドのフラップに取り付けた磁石の磁力で燃料タンクに吸着させるものであり、着脱自在であるが、二輪車の燃料タンクの形状に合わせて調整できることまでは考慮されていない。
【０００５】
本発明は、このような特殊な二輪車用バッグに電装品を収納して、これを燃料タンク上に取り付けるのではなく、燃料タンクの形状に沿った取り付けと、燃料タンクに傷を付けず、電装品の画像表示部を運転者が見易い状態や、電装品の操作部を操作し易い状態に保持することができる技術を提供する。
【課題を解決するための手段】
【０００６】
第１発明の自動二輪車用電子機器保持装置は、弾力性板を内蔵した可撓性のある基板部と、前記基板部の左右両側に延び内部に自動二輪車の燃料タンクに吸着する磁石を具備する可撓性のある取り付け用フラップと、前記基板部の上面に取り付けられた電子機器用取り付け基台を備え、この取り付け基台は、前記基板部に取り付けられた固定基台部と、この固定基台部に前後回動可能に軸支持されて前記電子機器を取り付けるための可動基台部とからなる。
【０００７】
また、第２発明の自動二輪車用電子機器保持装置は、電子機器を取り付け基台にて取り付ける基板部と、前記基板部の左右両側に延び内部に自動二輪車の燃料タンクに吸着する磁石を具備する取り付け用フラップを備え、前記基板部を上面基材と裏基材で構成し、前記上面基材と裏基材と取り付け用フラップは可撓性のある柔軟性資材で構成され、前記上面基材中に弾力性板が内蔵され、前記裏基材は前記上面基材の裏側に重ね合わされるように前記上面基材の前部又は後部に可撓自在に結合され、前記取り付け基台は、前記上面基材に前記弾力性板を貫通するネジで取り付けられる固定基台部と、この固定基台部に前後回動可能に軸支持されて前記電子機器を取り付けるための可動基台部を備え、前記裏基材は接合剥離自在な面ファスナにて前記上面基材の裏側に重ね合わされた状態を保持することを特徴とする。
【０００８】
また、第３発明の自動二輪車用電子機器保持装置は、第１発明又は第２発明において、前記取り付け用フラップは前記基板部に前後回動可能に支持され、前記可動基台部には前記電子機器を着脱自在に保持する保持部材がネジ止めされる構成である。
【０００９】
また、第４発明の自動二輪車用電子機器保持装置は、第１発明乃至第３発明において、前記基板部が一枚のシート状であればその下側面が、また前記基板部が前記上面基材と裏基材で構成されたものであれば前記裏基材の下側面が、滑り難い柔軟性資材で構成されたことを特徴とする。
【発明の効果】
【００１０】
第１の発明では、電装品を収納する特殊な二輪車用バッグが不要である。また、基板部は天然繊維又は人工繊維等の柔軟性資材で構成されてその中に弾力性板を内蔵したものであるため、弾力性板の屈曲によって燃料タンク上面の形状に沿わせ易く、しかも、弾力性板の腰の強さによって固定基台部の取り付けが安定し、基板部が燃料タンク上に取り付けられた状態で、電子機器の向きが一定する。このため、電子機器がナビゲーションシステム等のように画像表示部を備えたものでは、その画像表示部を運転者が見易い位置に保持できるものとなる。また、電装品の操作部を操作し易い状態に保持することができる。
また、取り外した状態では元の状態に復元できるため、再度の取り付け時も燃料タンク上面の形状に沿わせ易くなる。
【００１１】
第２の発明では、第１の発明の効果に加えて、裏基材は上面基材の裏側に重ね合わされるように上面基材に可撓自在に結合されているため、固定基台部を弾力性板を貫通するネジによって上面基材へ取り付けるような、簡単な取り付け構造とすることができる。また、裏基材を上面基材の裏側に重ね合わせることによって裏基材がネジを覆うため、このネジが燃料タンク上面を傷つけることがない。しかも、裏基材は接合剥離自在な面ファスナにて上面基材の裏側に重ね合わされた状態を保持するため、上面基材と裏基材が振動等によってずれる虞がなく、燃料タンク上に取り付けたとき、電子機器が振動等にてずれ落ちることなく安定保持ができるものとなる。
【００１２】
第３の発明では、第１の発明又は第２の発明の効果に加えて、取り付け用フラップは基板部に前後回動可能であるため、燃料タンクの形状に沿わせた状態で磁石の吸着位置を選択でき、取り付けが安定する。また、可動基台部を電子機器に合った着脱構造とすれば、各種の電子機器ごとに取り付け基台を揃えなければならないが、可動基台部には電子機器を着脱自在に保持する保持部材がネジ止めされる構成であるため、電子機器に合った保持部材を準備すれば、取り付け基台を共通にして電子機器の着脱構成が容易に達成でき、汎用性に富むものとなる。
【００１３】
第４の発明では、第１の発明乃至第３の発明の効果に加えて、燃料タンクに当接する基板部の裏面が、滑り難い柔軟性資材で構成されたことにより、燃料タンク上に取り付けたとき、電子機器が振動等にてずれ落ちることなく安定保持ができるものとなる。
【発明を実施するための最良の形態】
【００１４】
本発明の自動二輪車用電子機器保持装置は、弾力性板を内蔵した可撓性のある基板部と、前記基板部の左右両側に延び内部に自動二輪車の燃料タンクに吸着する磁石を具備する取り付け用フラップと、前記基板部の上面に取り付けられた電子機器用取り付け基台を備え、この取り付け基台は、前記基板部に取り付けられた固定基台部と、この固定基台部に前後回動可能に軸支持されて前記電子機器を取り付けるための可動基台部とからなるものであり、以下に本発明の実施形態を記載する。
【実施例１】
【００１５】
次に、本発明の実施の形態について説明する。各図は本発明の実施形態を示しており、図１は本発明に係る機器取り付け体と電子機器の保持部材の分解斜視図、図２は本発明に係る機器取り付け体の裏側面の斜視図、図３は本発明に係る機器取り付け体に電子機器を取り付けた状態を示す部分断面した側面図、図４は図１のＡ＝Ａ断面図、図５は本発明に係る機器取り付け体によって電子機器を自動二輪車の燃料タンク上に取り付けた状態の斜視図、図６は本発明に係る機器取り付け体によって自動二輪車の燃料タンク上に取り付けた電子機器をカバーで覆った状態の斜視図、図７は本発明に係る機器取り付け体によって電子機器を自動二輪車の燃料タンク上に取り付けた状態の側面図、図８は本発明に係る機器取り付け体によって電子機器を自動二輪車の燃料タンク上に取り付けた状態の平面図である。
【００１６】
本発明の実施例を図に基づき説明する。１は自動二輪車であり、車体１Ａにハンドル１Ｂによって前輪１Ｃが左右回動可能に支持され、車体１Ａの後部には後輪１Ｄが支持されている。また、車体１Ａにはエンジン１Ｅが支持され、その上方には燃料タンク１Ｆが取り付けられ、燃料タンク１Ｆの後方には座席（シート）１Ｇが取り付けられている。燃料タンク１Ｆの上面には、ナビゲーションシステム、自動料金収受システム（ＥＴＣ）、ビデオカメラ、ビデオカメラのモニタ部、自動二輪車用計測機器、自動二輪車用計測機器のモニタ部等の電子機器２が機器取り付け体３によって着脱自在に取り付けられる。
【００１７】
このようなナビゲーションシステム、自動料金収受システム（ＥＴＣ）等の電子機器２は、弾力性板４を内蔵した可撓性のある基板部５と、基板部５の左右両側から側方に延びて内部に燃料タンク１Ｆに吸着する永久磁石６を具備する可撓性のある取り付け用フラップ７と、基板部５の上面に取り付けられた電子機器２用の取り付け基台８を備えた機器取り付け体３によって、燃料タンク１Ｆの上面に略車体１Ａの前後方向の中心軸線ＣＰに沿って、着脱自在に取り付けられる。実施例では、取り付け用フラップ７は、左右に前後１枚ずつ合計４枚の配置である。取り付け用フラップ７は、天然繊維材や人工繊維材を布状に織ったもの、又は合成樹脂を布状やエンボス加工シート状に成形したもの等の柔軟性資材で構成された可撓性を有している。
【００１８】
基板部５が一枚のシート状で構成された形態（図３に示すように、図１及び図２において裏基材５Ｂが存在しない形態）の場合は、取り付け基台８は、基板部５に取り付けられる固定基台部８Ａと、電子機器２を取り付けるための可動基台部８Ｂとからなり、この固定基台部８Ａの左右辺に可動基台部８Ｂの左右辺が、これらの左右辺同士が前後回動可能に鍔付きの軸９で支持されている。基板部５は、一枚のシート状で構成された形態の場合は、燃料タンク１Ｆに載置されたとき当接する下面となる裏側材２０Ｂが、滑り難い柔軟性資材で構成されている。この柔軟性資材は、ウレタン樹脂を発泡したものや、ウレタン樹脂製ゴム等の表面をエンボス加工したものや、その他の合成樹脂やゴム材等で構成される。
【００１９】
基板部５は、一枚のシート状であってもよいが、図１、図２等に図示した実施例では、取り付け基台８の取り付けの簡素化のために、基板部５を上面基材５Ａと裏基材５Ｂで構成し、弾力性板４を貫通するネジによって固定基台部８Ａを上面基材５Ａへ取り付ける構成を採用する。具体的には、基板部５を略同じ平面積を持つ大きさの上面基材５Ａと裏基材５Ｂで構成する。そして、上面基材５Ａと裏基材５Ｂと取り付け用フラップ７は、天然繊維又は人工繊維等の布地の柔軟性資材で構成された可撓性を有し、上面基材５Ａの中には略上面基材５Ａの大きさに近い大きさの弾力性板４が内蔵されている。弾力性板４は、弾性を有する厚さ１ｍｍ程度の金属板又は合成樹脂板である。また、裏基材５Ｂは、上面基材５Ａの裏側（図１及び図４では上面基材５Ａの下側であり、図２では上面基材５Ａの上側）に重ね合わされるように、前部又は後部を上面基材５Ａの前部又は後部に可撓自在に可撓連結部１５で結合されている。実施例では、上面基材５Ａの前端部に可撓連結部１５で裏基材５Ｂが結合され、上面基材５Ａの下側（裏側）に裏基材５Ｂを重ね合わせた状態と、図１のように上面基材５Ａから裏基材５Ｂを開いた状態とに自在である。
【００２０】
取り付け基台８は、上面基材５Ａに弾力性板４を貫通するネジ１１で取り付けられる固定基台部８Ａと、電子機器２を取り付けるための可動基台部８Ｂを備え、この固定基台部８Ａの左右辺に可動基台部８Ｂの左右辺が前後回動可能に軸９で支持されている。また、裏基材５Ｂは上面基材５Ａの裏側に重ね合わされた状態で下面となる裏側材２０Ｂが、滑り難い柔軟性資材で形成された構成である。
【００２１】
取り付け用フラップ７は、基板部５が一枚のシート状のものでは、取り付け用フラップ７の取り付け基部が、基板部５の下面に鳩目や合成樹脂製止め具等の取り付け具１４によって前後回動可能（基板部５の下面に沿って回動可能）に支持されている。また、基板部５が上面基材５Ａと裏基材５Ｂの組み合わせで構成されているものでは、上面基材５Ａの下面に取り付け基部が鳩目等の取り付け具１４によって前後回動可能に支持されている。可動基台部８Ｂには電子機器２を着脱自在に保持する保持部材１２がネジ１３によって取り付けられる。このため、可動基台部８Ｂにはネジ１３が取り付けられる孔１６が形成されている。保持部材１２は、保持する電子機器２の構造とマッチングする構成であり、例えば、保持部材１２を合成樹脂で形成し、電子機器２の裏側に形成した孔に、保持部材１２の底に形成した左右の突起１２Ａを嵌合した状態において、電子機器２の上端部を保持部材１２の上部の鉤状フランジ１２Ｂに弾性係合させることにより保持する。そして、電子機器２の取り外しは、上部の鉤状フランジ１２Ｂによる弾性係合を外した状態で、電子機器２を持ち上げて左右の突起１２Ａから外すことにより達成できる。
【００２２】
また、裏基材５Ｂは、上面基材５Ａの裏側に重ね合わされた状態を安定に保持するために、上面基材５Ａと裏基材５Ｂは、可撓連結部１５とは反対側の端部に沿って布地の面状ファスナ１７Ａ、１７Ｂが取り付けられている。面状ファスナ１７Ａ、１７Ｂは、上面基材５Ａと裏基材５Ｂを相互に押し圧することによって多数の鉤状突起が係合し、上面基材５Ａと裏基材５Ｂ相互を剥離させる作用力によって面状ファスナ１７Ａ、１７Ｂが剥がれる周知の構成である。
【００２３】
基板部５は、一枚のシート状であってもよく、また上面基材５Ａと裏基材５Ｂの組み合わせで構成されていてもよいが、この一枚のシート状基板部５と上面基材５Ａと裏基材５Ｂは、いずれも天然繊維材や人工繊維材を布状に織ったもの、又は合成樹脂を布状やエンボス加工シート状に成形したもの等の柔軟性資材で構成された可撓性を有しており、表裏一体に形成したものの周縁端部を帯状の柔軟材の可撓性カバー材１８（縁取り部材１８）で覆って端部のほつれを防止したもの、又は表側材２０Ａと裏側材２０Ｂが重ね合わされて、その周縁端部を帯状柔軟材の可撓性カバー材１８で縫い合わせて覆い、端部のほつれを防止したもののいずれの構成でもよい。また、弾力性板４が内蔵される基板部５及び上面基材５Ａは、その表側材２０Ａと裏側材２０Ｂの間に弾力性板４が挟まれた状態で内蔵されるが、図４に示すように、表側材２０Ａと裏側材２０Ｂの間にクッション材１９を収納し、このクッション材１９中に弾力性板４を配置した構成とすれば、表側材２０Ａと裏側材２０Ｂを弾力性板４から保護する効果が向上する。
【００２４】
図１、図２及び図４に示すように、基板部５が上面基材５Ａと裏基材５Ｂの組み合わせで構成されている場合は、裏基材５Ｂは上面基材５Ａの裏側に重ね合わされた状態で下面となる裏側材２０Ｂが、滑り難い柔軟性資材で形成された構成である。この柔軟性資材は、ウレタン樹脂を発泡したものや、ウレタン樹脂製ゴム等の表面をエンボス加工したものや、その他の合成樹脂やゴム材で構成される。実施例では、図４に示すように、裏側材２０Ｂがウレタン樹脂を発泡したもので構成され、表皮がエンボス加工された滑り難い可撓性皮膜１０Ａを有し、その内側が発泡状態の弾力部分１０Ｂで構成されたものである。このため、燃料タンク１Ｆに載置したとき、この裏側材２０Ｂの弾力性によって、取り付け基台８に取り付けた電子機器２に対する振動吸収効果が生じると共に、燃料タンク１Ｆにフィットし易い状態で、しかも滑り難い状態を保持できるものとなる。なお、基板部５が一枚のシート状の場合も、同様に裏側材２０Ｂを、表皮がエンボス加工された滑り難い可撓性皮膜１０Ａを有し、その内側が発泡状態の弾力部分１０Ｂで構成されたものとし、この裏側材２０Ｂと表側材２０Ａとの間に弾力性板４が挟まれた構成とすれば、この裏側材２０Ｂの弾力性によって、取り付け基台８に取り付けた電子機器２に対する振動吸収効果が生じると共に、燃料タンク１Ｆにフィットし易い状態で、しかも滑り難い状態を保持できるものとなる。
【００２５】
基板部５が一枚のシート状のもの（図３に示すように、図１及び図２において裏基材５Ｂが存在しない形態）では、基板部５の上面に取り付け基台８がネジ１１によって取り付けられ、且つ可動基台部８Ｂの上面に保持部材１２がネジ１３によって取り付けられた状態で、基板部５を燃料タンク１Ｆ上に載置し、磁石６の吸着力によって燃料タンク１Ｆに取り付け用フラップ７で基板部５を支持する（この場合、ネジ１１の頭部が燃料タンク１Ｆを傷つけないように、ネジ１１の頭部を弾性材や可撓材で覆うことが好ましい）。この際、取り付け用フラップ７は基板部５に対して回動自在であるため、取り付け用フラップ７が捩じれない安定した位置になるように調整した位置で吸着させる。この状態で、上記のようにして保持部材１２に電子機器２を保持する。この状態で、運転者から見て、電子機器２の画像表示部２Ａを見易い状態に、又は電子機器２のスイッチ等の操作部２Ｂを操作しやすい状態にする場合は、電子機器２又は保持部材１２を手で握って軸９を中心に可動基台部８Ｂを固定基台部８Ａに対して前後方向に回動させて、その姿勢（位置）を調節する。この調節が終わった段階で、座金２１Ａを介して軸９のネジ孔にネジ２１を螺合することにより、軸９の鍔９Ａと座金２１Ａによって、可動基台部８Ｂの左右辺と固定基台部８Ａの左右辺の相互を締め付ける。これによって、この調節が終わった段階の固定基台部８Ａに対する可動基台部８Ｂの姿勢（位置）を安定に保持できる。これは、固定基台部８Ａの左辺と可動基台部８Ｂの左辺に挿通される軸９の鍔９Ａから先の長さは、固定基台部８Ａの左辺の厚さと可動基台部８Ｂの左辺の厚さの和より若干小であり、固定基台部８Ａの右辺と可動基台部８Ｂの右辺でも同様の関係であるため、上記のようなネジ２１の螺合により、可動基台部８Ｂの左右辺と固定基台部８Ａの左右辺の相互の締め付けが得られるものとなる。なお、固定基台部８Ａに対する可動基台部８Ｂの位置固定は、この他の構成であっても差し支えない。
【００２６】
図１及び図２に示すように、基板部５が上面基材５Ａと裏基材５Ｂの組み合わせで構成されているものでは、上面基材５Ａの上面に取り付け基台８がネジ１１によって取り付けられ、且つ、可動基台部８Ｂの上面に保持部材１２がネジ１３によって取り付けられた状態で、裏基材５Ｂを上面基材５Ａの下側へ重ね合わせて面状ファスナ１７Ａ、１７Ｂを接合し、ネジ１１を裏基材５Ｂで覆う。この状態で裏基材５Ｂが燃料タンク１Ｆ上に当接するように基板部５を載置し、磁石６の吸着力によって燃料タンク１Ｆに取り付け用フラップ７で基板部５を支持する。この場合、取り付け用フラップ７は上面基材５Ａに対して回動自在であるため、取り付け用フラップ７が捩じれない安定した位置になるように調整した位置で吸着させる。この状態で、上記のようにして保持部材１２に電子機器２を保持する。この状態で、運転者から見て、電子機器２の画像表示部２Ａを見易い状態に、又は電子機器２のスイッチ等の操作部２Ｂを操作しやすい状態にする場合は、電子機器２又は保持部材１２を手で握って軸９を中心に可動基台部８Ｂを固定基台部８Ａに対して前後方向に回動させて、その姿勢（位置）を調節する。この調節が終わった段階で、座金２１Ａを介して軸９のネジ孔にネジ２１を螺合することにより、軸９の鍔９Ａと座金２１Ａによって、可動基台部８Ｂの左右辺と固定基台部８Ａの左右辺の相互を締め付ける。これによって、この調節が終わった段階の固定基台部８Ａに対する可動基台部８Ｂの姿勢（位置）を安定的に保持できる。これは、固定基台部８Ａの左辺と可動基台部８Ｂの左辺に挿通される軸９の鍔９Ａから先の長さは、固定基台部８Ａの左辺の厚さと可動基台部８Ｂの左辺の厚さの和より若干小であり、固定基台部８Ａの右辺と可動基台部８Ｂの右辺でも同様の関係であるため、上記のようなネジ２１の螺合により、可動基台部８Ｂの左右辺と固定基台部８Ａの左右辺の相互の締め付けが得られるものとなる。なお、固定基台部８Ａに対する可動基台部８Ｂの位置固定は、この他の構成であっても差し支えない。
【００２７】
機器取り付け体３は、使用の便利さのために、図１等に示すように、ワイヤレス音声システムやその他の小物機器等の小物２３の収納部２２を取り付け基台８の後方部に備えている。基板部５が上面基材５Ａと裏基材５Ｂの組み合わせで構成されているものでは、上面基材５Ａの上面に袋状部２４の周縁部が縫い付けにて取り付けられて、上面基材５Ａの上面と袋状部２４との間に収納部２２が形成され、この収納部２２は、ファスナ２５によって後面と左右面に形成した開口２６が開閉される仕組みである。
【００２８】
機器取り付け体３は、使用の便利さのために、図１等に示すように、ワイヤレス音声システムやその他の小物機器等の小物２３の収納部２２を取り付け基台８の後方部に備えている。基板部５が一枚のシート状のものでは、基板部５の上面に袋状部２４の周縁部が縫い付けにて取り付けられて、基板部５の上面と袋状部２４との間に収納部２２が形成され、この収納部２２は、ファスナ２５によって後面と左右面に形成した開口２６が開閉される仕組みである。
【００２９】
上記の構成によって、機器取り付け体３の取り付けは、燃料タンク１Ｆの形状に合わせて、取り付け用フラップ７を基板部５又は上面基材５Ａに対して回動させ、適宜の位置において磁石６の吸着力によって燃料タンク１Ｆに取り付け用フラップ７を取り付けることができるため、燃料タンク１Ｆの形態に合わせて安定した取り付ができる。そして、運転者が自動二輪車１から離れるときは、磁石６の吸着力に抗して燃料タンク１Ｆから取り付け用フラップ７を剥がすことによって、容易に持ち運びできるため、電子機器２や機器取り付け体３の盗難に遭うこともない。
【００３０】
また、基板部５又は上面基材５Ａに内蔵した弾力性板４によって、燃料タンク１Ｆの上面の曲面に合わせ易い効果を奏すると共に、基板部５又は上面基材５Ａが腰のある強度を保つため、燃料タンク１Ｆ上での基板部５又は上面基材５Ａを比較的剛性のある状態に維持でき、取り付け基台８の取り付けが安定して、電子機器２の保持が安定する効果を奏する。
【００３１】
機器取り付け体３は、取り付け用フラップ７に設けた磁石６の吸着力によって燃料タンク１Ｆ上に取り付けられるが、振動の激しい道路等で運転される場合に、万一燃料タンク１Ｆ上から機器取り付け体３が外れることが懸念される場合には、基板部５が一枚のシート状のものも、基板部５が上面基材５Ａと裏基材５Ｂの組み合わせで構成されているものでも、左右の各取り付け用フラップ７の基部にベルト掛け２７を設けている。このため、燃料タンク１Ｆの下側に廻した伸縮性又は弾力性のベルト（図示せず）をこの左右のベルト掛け２７に掛け渡して締め付け状態とすることによって、機器取り付け体３の取り付けが強固なものとなる。
【００３２】
なお、電子機器２を取り付けた機器取り付け体３を燃料タンク１Ｆ上に取り付けた状態で、自動二輪車１に設けたバッテリ（図示せず）の電力が、着脱自在のコネクタ（図示せず）を介して電力線でもって電子機器２に供給される。また、このコネクタを外すことによって、燃料タンク１Ｆ上から電子機器２のみを取り外して別の場所へ持ち運びでき、または、電子機器２を取り付けた状態の機器取り付け体３を燃料タンク１Ｆ上から取り外して、電子機器２と共に機器取り付け体３を別の場所へ持ち運びできる。
【００３３】
また、電子機器２を取り付けた機器取り付け体３を燃料タンク１Ｆ上に取り付けた状態で、電子機器２を使用しないときは、図６に示すように、電子機器２をカバー２８で覆うことができる。このカバー２８は、基板部５が一枚のシート状のものでは、その基板部５の周縁部とファスナによって着脱自在に結合すればよく、また、基板部５が上面基材５Ａと裏基材５Ｂの組み合わせで構成されているものでは、その上面基材５Ａの周縁部とファスナによって着脱自在に結合すればよい。
【産業上の利用可能性】
【００３４】
本発明に係る保持装置は、上記実施形態に限定されず、本発明の技術的範囲を逸脱しない限り種々の変更が考えられ、それに係る種々の実施形態を包含するものである。
【図面の簡単な説明】
【００３５】
【図１】本発明に係る機器取り付け体と電子機器の保持部材の分解斜視図である。（実施例１）
【図２】本発明に係る機器取り付け体の裏側面の斜視図である。（実施例１）
【図３】本発明に係る機器取り付け体に電子機器を取り付けた状態を示す部分断面した側面図である。（実施例１）
【図４】図１のＡ―Ａ断面図である。（実施例１）
【図５】本発明に係る機器取り付け体によって電子機器を自動二輪車の燃料タンク上に取り付けた状態の斜視図である。（実施例１）
【図６】本発明に係る機器取り付け体によって自動二輪車の燃料タンク上に取り付けた電子機器をカバーで覆った状態の斜視図である。（実施例１）
【図７】本発明に係る機器取り付け体によって電子機器を自動二輪車の燃料タンク上に取り付けた状態の側面図である。（実施例１）
【図８】本発明に係る機器取り付け体によって電子機器を自動二輪車の燃料タンク上に取り付けた状態の平面図である。（実施例１）
【符号の説明】
【００３６】
１・・・・・自動二輪車
１Ａ・・・・車体
１Ｂ・・・・ハンドル
１Ｆ・・・・燃料タンク
２・・・・・電子機器
２Ａ・・・・電子機器の画像表示部
２Ｂ・・・・電子機器のスイッチ等の操作部
３・・・・・機器取り付け体
４・・・・・弾力性板
５・・・・・基板部
５Ａ・・・・上面基材
５Ｂ・・・・裏基材
６・・・・・磁石
７・・・・・取り付け用フラップ
８・・・・・取り付け基台
８Ａ・・・・固定基台部
８Ｂ・・・・可動基台部
９・・・・・軸
１０Ａ・・・滑り難い可撓性皮膜
１０Ｂ・・・発泡状態の弾力部分
１１・・・・ネジ
１２・・・・保持部材
１３・・・・ネジ
１４・・・・取り付け具
１５・・・・可撓連結部
１６・・・・孔
１７Ａ・・・面状ファスナ
１７Ｂ・・・面状ファスナ
１８・・・・可撓性カバー材（縁取り部材）
１９・・・・クッション材
２０Ａ・・・表側材
２０Ｂ・・・裏側材
２１・・・・ネジ
２２・・・・収納部
２３・・・・小物
２４・・・・袋状部
２５・・・・ファスナ
２６・・・・開口
２７・・・・ベルト掛け
【図１】
2008037162.tif 000003
【図２】
2008037162.tif 000004
【図３】
2008037162.tif 000005
【図４】
2008037162.tif 000006
【図５】
2008037162.tif 000007
【図６】
2008037162.tif 000008
【図７】
2008037162.tif 000009
【図８】
2008037162.tif 000010